(57)【要約】【課題】コストやサイズを増加させることなく、原稿圧着板の加速落下による衝撃を確実かつ安定して緩和することができ、精密機器に対する影響を軽減することができる原稿圧着板の開閉装置を提供する。【解決手段】複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記カム部材の両側面に第１圧入部を形成すると共に、該第１圧入部に摺接するように、上記ヒンジケースの上部の内側面に第２圧入部を形成する。【選択図】図３
2010271627.tif 000002
【特許請求の範囲】
【請求項１】
複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、
上記カム部材の両側面に第１圧入部を形成すると共に、該第１圧入部に摺接するように、上記ヒンジケースの上部の内側面に第２圧入部を形成することを特徴とする原稿圧着板の開閉装置。
【請求項２】
上記第１圧入部および第２圧入部の圧入面が平面であって、上記圧入力が一定になるように構成することを特徴とする請求項１に記載の原稿圧着板の開閉装置。
【請求項３】
上記第１圧入部および第２圧入部の圧入面がテーパー面であって、上記圧入力が増加するように構成することを特徴とする請求項１に記載の原稿圧着板の開閉装置。
【請求項４】
上記カム部材の両側部に圧入突起を突設すると共に、上記ヒンジケースの上部に上記カム部材の圧入突起を圧入状態で受け入れる圧入溝を形成することを特徴とする請求項１に記載の原稿圧着板の開閉装置。
【請求項５】
複写機等の機器本体に取付けられたヒンジケースに上下スライド自在に挿設される取付ステムと、該取付ステムの上部にヒンジピンを介して回動自在に枢着されると共に原稿圧着板を一体的に取り付けるケース状の回動アームと、上記取付ステムの上部に一体的に設けられるカム部材と、上記回動アーム内に沿ってスライド自在に収められると共に前記カム部材に当接するスライダーと、上記回動アームの底壁と前記スライダーの間に収められて、該スライダーを上記カム部材のカム面に弾性的に当接せしめる圧縮スプリングと、から成る原稿圧着板の開閉装置において、
上記カム部材の両側面に第１圧入部を形成すると共に、該第１圧入部に摺接するように、上記回動アームの内側面に第２圧入部を形成することを特徴とする原稿圧着板の開閉装置。
【請求項６】
上記回動アームの内面に逃しを形成して、上記回動アームが閉じた状態における、上記第１圧入部の第２圧入部への圧入を解放することを特徴とする請求項４に記載の原稿圧着板の開閉装置。
【発明の詳細な説明】
【技術分野】
【０００１】
本発明は、複写機、ファクシミリ、スキャナ、プリンタ或いはそれらの複合機における原稿圧着板の開閉装置に関するものである。
【背景技術】
【０００２】
従来の原稿圧着板の開閉装置としては、複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから構成されるものがある。
【０００３】
上記従来の原稿圧着板の開閉装置は、回動アームに取り付けた原稿圧着板を閉じる際に、これが低角度（約３０度以下）になると、その重量の垂直下方向ベクトルが急激に大きくなって、落下加速度が増加し、複写機等の精密機器に大きな衝撃を与えてしまうという問題点があった。
【０００４】
特に、上記開閉装置などのような軽量で小型のヒンジでは、ダンパー等の衝撃緩和装置を取り付けるとコストが高くなるだけでなく、装置が大型になってしまう等の問題があった。
【発明の概要】
【発明が解決しようとする課題】
【０００５】
本発明が解決しようとする課題は、コストやサイズを増加させることなく、原稿圧着板の加速落下による衝撃を確実かつ安定して緩和することができ、精密機器に対する影響を軽減することができる原稿圧着板の開閉装置を提供することにある。
【課題を解決するための手段】
【０００６】
本発明の原稿圧着板の開閉装置は、複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記カム部材の両側面に第１圧入部を形成すると共に、該第１圧入部に摺接するように、上記ヒンジケースの上部の内側面に第２圧入部を形成することを特徴とする。また、上記第１圧入部および第２圧入部の圧入面が平面であって、上記圧入力が一定になるように構成することを特徴とする。上記第１圧入部および第２圧入部の圧入面がテーパー面であって、上記圧入力が増加するように構成することを特徴とする。さらに、上記カム部材の両側部に圧入突起を突設すると共に、上記ヒンジケースの上部に上記カム部材の圧入突起を圧入状態で受け入れる圧入溝を形成することを特徴とする。
また、本発明の原稿圧着板の開閉装置は、複写機等の機器本体に取付けられたヒンジケースに上下スライド自在に挿設される取付ステムと、該取付ステムの上部にヒンジピンを介して回動自在に枢着されると共に原稿圧着板を一体的に取り付けるケース状の回動アームと、上記取付ステムの上部に一体的に設けられるカム部材と、上記回動アーム内に沿ってスライド自在に収められると共に前記カム部材に当接するスライダーと、上記回動アームの底壁と前記スライダーの間に収められて、該スライダーを上記カム部材のカム面に弾性的に当接せしめる圧縮スプリングと、から成る原稿圧着板の開閉装置において、上記カム部材の両側面に第１圧入部を形成すると共に、該第１圧入部に摺接するように、上記回動アームの内側面に第２圧入部を形成することを特徴とする。また、上記回動アームの内面に逃しを形成して、上記回動アームが閉じた状態における、上記第１圧入部の第２圧入部への圧入を解放することを特徴とする。
【発明の効果】
【０００７】
本発明の原稿圧着板の開閉装置は、コストやサイズを増加させることなく、原稿圧着板の加速落下による衝撃を確実かつ安定して緩和することができ、精密機器に対する影響を軽減することができるという利点がある。
【図面の簡単な説明】
【０００８】
【図１】本発明の原稿圧着板の開閉装置の第１実施例を示す斜視図である。
【図２】図１の装置の断面図である。
【図３】図１の装置の分解斜視図である。
【図４】図１の装置の回動アームの約３０度の状態を示す正面図である。
【図５】図４の部分イの拡大説明図である。
【図６】本発明の原稿圧着板の開閉装置の第２実施例を示す側面図である。
【図７】図６の装置の断面図である。
【図８】図６の装置の部分拡大図（Ａ）、（Ｂ）である。
【図９】本発明の原稿圧着板の開閉装置の第３実施例を示す側面図である。
【図１０】図９の装置の断面図である。
【図１１】図９の装置の部分拡大図である。
【図１２】図９の装置の後ろ側からの斜視図（Ａ）およびその部分拡大図（Ｂ）である。
【図１３】本発明の原稿圧着板の開閉装置の第４実施例を示す側面図である。
【図１４】図１３の装置の断面図である。
【図１５】図１３の装置の要部拡大図（Ａ）、（Ｂ）である。
【図１６】本発明の原稿圧着板の開閉装置の第５実施例を示す斜視図である。
【発明を実施するための形態】
【０００９】
以下、本発明の実施例について、図面を参照しながら説明する。
【実施例１】
【００１０】
図１ないし図３は、本発明装置の第１実施例を示すもので、１は、複写機等の機器本体（図示せず）に取り付けられるヒンジケース、２は回動アーム、３はカム部材、４はヒンジピン、５はスライダー、６は圧縮スプリングである。
【００１１】
上記ヒンジケース１は、上部が開口している。該ヒンジケース１の１組の相向かい合う２つの側面の上部には、ヒンジピン用挿通孔１ａが穿設されている。（特に図３参照）
【００１２】
上記回動アーム２は、その上面に原稿圧着板（図示せず）を一体的に取り付けるようになっており、その回動基部には、ヒンジピン用挿通孔２ａが穿設されている。該回動アーム２の下側には、カム部材３が一体的に設けられている。
【００１３】
上記ヒンジピン４は、上記ヒンジケース１のヒンジピン用挿通孔１ａおよび上記回動アーム２のヒンジピン用挿通孔２ａに挿通され、該回動アーム２を上記ヒンジケース１に回動自在に組み付けている。
【００１４】
上記スライダー５は、上記ヒンジケース１の内面に沿ってスライド自在に収められている。該スライダー５の上面は、上記回動アーム２のカム部材３のカム面に当接している。
【００１５】
上記圧縮スプリング６は、上記ヒンジケース１の底壁と上記スライダー５との間に収められていて、該スライダー５を上記カム部材３に弾性的に当接せしめるようになっている。
【００１６】
従って、上記回動アーム２に取り付けられた原稿圧着板は、上記圧縮スプリング６の弾発力により、上記スライダー５およびカム部材３等を介して、開く方向に付勢されている。
【００１７】
図４および図５から明らかなように、上記カム部材３の両側面には、第１圧入部３ａが形成されている。該第１圧入部３ａは、その圧入箇所３ａ−１がテーパー状に形成され、それに続く圧入面３ａ−２が平面となっている。
【００１８】
他方、上記ヒンジケース１の内側面であって、上記カム部材３の上記圧入箇所３ａ−１に対向する部分には、第２圧入部１ｂが形成されている。該第２圧入部１ｂは、その圧入箇所１ｂ−１がテーパー状に形成され、それに続く圧入面１ｂ−２が平面となっている。このようにして、上記第２圧入部１ｂは、上記第１圧入部３ａに対向している。
【００１９】
従って、上記回動アーム２に取り付けた原稿圧着板を閉じる際に、図４に示すように、回動アーム２が低角度（約３０度以下）になると、上記圧入箇所３ａ−１が上記圧入箇所１ｂ−１に当接し（図５参照）、さらに、閉じる方向に回動すると、上記圧入面３ａ−２が上記圧入面１ｂ−２に接触しながらスライド、すなわち摺接する。その結果、原稿圧着板の落下加速度が押さえられ、衝撃が緩和される。なお、上記圧入面３ａ−２と上記圧入面１ｂ−２は平面となっているため、上記原稿圧着板を開こうとする回転トルクを発揮させることはない。
【実施例２】
【００２０】
図６および図７は、本発明装置の第２実施例を示すもので、本実施例装置は、複写機等の機器本体（図示せず）に取付けられたヒンジケース（図示せず）に上下スライド自在に挿設される取付ステム７と、該取付ステム７の上部にヒンジピン８を介して回動自在に枢着されると共に原稿圧着板（図示せず）を一体的に取り付けるケース状の回動アーム９と、上記取付ステム７の上部に一体的に設けられるカム部材１０と、上記回動アーム９内に沿ってスライド自在に収められると共に前記カム部材１０に当接するスライダー１１と、上記回動アーム９の底壁と前記スライダー１１の間に収められて、該スライダー１１を上記カム部材１０のカム面に弾性的に当接せしめる圧縮スプリング１２と、から構成されている。
【００２１】
図８（Ａ）から明らかなように、上記カム部材１０の両側面には、テーパー状の第１圧入部１０ａが形成されている。他方、図８（Ｂ）から明らかなように、上記回動アーム９の内側面であって、上記カム部材１０の第１圧入部１０ａに対向する部分には、テーパー状の第２圧入部９ａが形成されている。
【００２２】
従って、上記回動アーム９に取り付けた原稿圧着板を閉じる際に、上記第２圧入部９ａが上記第１圧入部１０ａに当接し、さらに、閉じる方向に回動すると、さらに圧接状態でスライド、すなわち摺接する。その結果、原稿圧着板の落下加速度が押さえられ、衝撃が緩和される。
【実施例３】
【００２３】
図９および図１０は、本発明装置の第３実施例を示すもので、本実施例装置は、複写機等の機器本体（図示せず）に取付けられたヒンジケース（図示せず）に上下スライド自在に挿設される取付ステム１３と、該取付ステム１３の上部にヒンジピン１４を介して回動自在に枢着されると共に原稿圧着板（図示せず）を一体的に取り付けるケース状の回動アーム１５と、上記取付ステム１３の上部に一体的に設けられるカム部材１６と、上記回動アーム１５内に沿ってスライド自在に収められると共に前記カム部材１６に当接するスライダー１７と、上記回動アーム１５の底壁と前記スライダー１７の間に収められて、該スライダー１７を上記カム部材１６のカム面に弾性的に当接せしめる圧縮スプリング１８と、から構成されている。
【００２４】
図１１から明らかなように、上記カム部材１６の両側面には、テーパー状の第１圧入部１６ａが形成されている。他方、上記回動アーム１５の内側面であって、上記カム部材１６の第１圧入部１６ａに対向する部分には、テーパー状の第２圧入部１５ａが形成されている。
【００２５】
従って、上記回動アーム１５に取り付けた原稿圧着板を閉じる際に、上記第２圧入部１５ａが上記第１圧入部１６ａに当接し、さらに、閉じる方向に回動すると、さらに圧接状態でスライドする。その結果、原稿圧着板の落下加速度が押さえられ、衝撃が緩和される。
【００２６】
図１２（ｂ）から明らかなように、上記回動アーム１５の内面に、上記カム部材１６の第１圧入部１６ａによる圧入の影響を無くす（解放する）ための、逃し１５ｂを形成する。
【実施例４】
【００２７】
図１３および図１４は、本発明装置の第４実施例を示すもので、本実施例装置は、複写機等の機器本体（図示せず）に取付けられ、上部が開口しているヒンジケース１９と、該ヒンジケース１９の１組の相向かい合う２つの側面の上部にヒンジピン２０を介して回動自在に枢着されると共に原稿圧着板（図示せず）を一体的に取り付ける回動アーム２１と、該回動アーム２１の下側に一体的に設けられるカム部材２２と、上記回動アーム２１内に沿ってスライド自在に収められると共に前記カム部材２２に当接するスライダー２３と、上記ヒンジケース１９の底壁と前記スライダー２３の間に収められて、該スライダー２３を上記カム部材２２のカム面に弾性的に当接せしめる圧縮スプリング２４と、から構成されている。
【００２８】
図１５（Ａ）から明らかなように、上記カム部材２２の両側部に圧入突起２２ａが突設されている。他方、図１５（Ｂ）から明らかなように、上記ヒンジケース１９の内側面には、上記カム部材２２の圧入突起２２ａを圧入状態で受け入れる圧入溝１９ａが形成されている。
【００２９】
従って、上記回動アーム２１に取り付けた原稿圧着板を閉じる際に、上記圧入突起２２ａが上記圧入溝１９ａに嵌入し、さらに、閉じる方向に回動すると、さらに圧接状態で嵌合する。その結果、原稿圧着板の落下加速度が押さえられ、衝撃が緩和される。
【実施例５】
【００３０】
図１６は、本発明装置の第５実施例を示すもので、本実施例装置は、複写機等の機器本体（図示せず）に取付けられ、上部が開口しているヒンジケース２５と、該ヒンジケース２５の上部にヒンジピンを介して回動自在に枢着されると共に原稿圧着板（図示せず）を一体的に取り付ける回動アーム２６と、該回動アーム２６の下側に一体的に設けられるカム部材２７と、上記回動アーム２６内に沿ってスライド自在に収められると共に前記カム部材２７に当接するスライダー（図示せず：第１または４実施例のスライダーを参照）と、上記ヒンジケース２５の底壁と前記スライダーの間に収められて、該スライダーを上記カム部材２６のカム面に弾性的に当接せしめる圧縮スプリング（図示せず：第１または４実施例の圧縮スプリングを参照）と、から構成されている。
【００３１】
上記カム部材２７には圧入突起２７ａが突設されていると共に、上記ヒンジケース２５には、上記カム部材２７の圧入突起２７ａを圧入状態で受け入れる圧入溝２５ａが形成されている。
【００３２】
従って、上記回動アーム２６に取り付けた原稿圧着板を閉じる際に、上記圧入突起２７ａが上記圧入溝２５ａに嵌入し、さらに、閉じる方向に回動すると、さらに圧接状態で嵌合する。その結果、原稿圧着板の落下加速度が押さえられ、衝撃が緩和される。
【符号の説明】
【００３３】
１        ヒンジケース
１ａ      ヒンジピン用挿通孔
１ｂ      第２圧入箇所
１ｂ−１  圧入部
１ｂ−２  圧入面
２        回動アーム
２ａ      ヒンジピン用挿通孔
３        カム部材
３ａ      第１圧入部
３ａ−１  圧入箇所
３ａ−２  圧入面
４        ヒンジピン
５        スライダー
６        圧縮スプリング
７        取付ステム
８        ヒンジピン
９        回動アーム
９ａ      第２圧入部
１０      カム部材
１０ａ    第１圧入部
１１      スライダー
１２      圧縮スプリング
１３      取付ステム
１４      ヒンジピン
１５      回動アーム
１５ａ    第２圧入部
１６      カム部材
１６ａ    第１圧入部
１７      スライダー
１８      圧縮スプリング
１９      ヒンジケース
１９ａ    圧入溝
２０      ヒンジピン
２１      回動アーム
２２      カム部材
２２ａ    圧入突起
２３      スライダー
２４      圧縮スプリング
２５      ヒンジケース
２５ａ    圧入溝
２６      回動アーム
２７      カム部材
２７ａ    圧入突起
【図１】
2010271627.tif 000003
【図２】
2010271627.tif 000004
【図３】
2010271627.tif 000005
【図４】
2010271627.tif 000006
【図５】
2010271627.tif 000007
【図６】
2010271627.tif 000008
【図７】
2010271627.tif 000009
【図８】
2010271627.tif 000010
【図９】
2010271627.tif 000011
【図１０】
2010271627.tif 000012
【図１１】
2010271627.tif 000013
【図１２】
2010271627.tif 000014
【図１３】
2010271627.tif 000015
【図１４】
2010271627.tif 000016
【図１５】
2010271627.tif 000017
【図１６】
2010271627.tif 000018